(57)【特許請求の範囲】
【請求項１】
可動接点を、それが第１の固定接点に係合する第１スイッチ位置から、中間位置を経て、第２の固定接点に係合する第２スイッチ位置へ移動させ、またその逆に移動させることが可能な、ディスコネクタ／アース・スイッチの可動接点の駆動装置において、
接点駆動軸（１０）であって、その回転動きが可動接点の動きに変換されるものが、２つの切り欠き部（１２，１３）を備えた駆動ディスク（１１）に接続され、
直線的に移動可能な２つの駆動部材（２８，２９；３０，３１）が設けられ、各駆動部材が前記各切り欠き部（１２，１３）にそれぞれ係合して、前記駆動ディスク（１１）を、中央位置から１つの回転方向へ第１位置まで回動させ、またこの回転方向と逆の方向に第２位置まで回動させ、
かくして、前記中間位置が前記中央位置で達成され、前記第１スイッチ位置が前記第１位置で達成され、前記第２スイッチ位置が前記第２位置で達成されるようになっていることを特徴とする駆動装置。
【請求項２】
前記中間位置では、ディスコネクタ・スイッチがオフになり、アース・スイッチがオフになることを特徴とする請求項１に記載の駆動装置。
【請求項３】
前記第１スイッチ位置では、ディスコネクタ・スイッチがオンになり、アース・スイッチがオフになることを特徴とする請求項１に記載の駆動装置。
【請求項４】
前記第２スイッチ位置では、ディスコネクタ・スイッチがオフになり、アース・スイッチがオンになることを特徴とする請求項１に記載の駆動装置。
【請求項５】
前記切り欠き部は、相互にＶ形を形成する半径方向のスロット（１２，１３）であり、
前記駆動部材（２８，２９；３０，３１）は、相互に平行して直線動きができるようになっていること、
を特徴とする請求項１に記載の駆動装置。
【請求項６】
前記スロット（１２，１３）は、前記接点間の周方向間隔に対応して、相互に特定の角度をなしていることを特徴とする請求項５に記載の駆動装置。
【請求項７】
前記スロット（１２，１３）は、前記接点間の周方向間隔に対応して、相互に９０°の角度をなしていることを特徴とする請求項５に記載の駆動装置。
【請求項８】
前記駆動ディスク（１１）は、Ｖ形の外に円形部（１４）を有すると共に、前記スロット（１２，１３）の間に半径方向の突起部（１５）を有しており、
この半径方向の突起部（１５）は、前記第１及び第２位置での軸（２０，２１）の長手方向軸に直交し、かつ前記中間位置でそれに平行に延びる２つのエッジ（１７、１８）に囲まれ、且つローラ・ドライバー（２８，２９）の間に位置し、更に、前記第１および第２位置において、それぞれ、エッジ（１７）あるいはエッジ（１８）でストップ（３２，３３）に当接すること、
を特徴とする請求項１〜７のいずれか１つに記載の駆動装置。
【請求項９】
前記駆動部材（２８，２９）は、ねじ軸上にねじ込まれたローラ・ドライバー（２８，２９）として形成され、
また、これらローラ・ドライバー（２８，２９）は、それぞれモータにより駆動され、更に関連するスロット（１２，１３）にそれぞれ係合するボルト突起（３０，３１）を有していること、
を特徴とする請求項１〜８のいずれか１つに記載の駆動装置。
【請求項１０】
前記ボルト突起（３０，３１）は、前記ローラ・ドライバー（２８，２９）の上を転がり、かくして、それぞれの場合に１つのローラを形成していることを特徴とする請求項９に記載の駆動装置。
【請求項１１】
前記ねじ軸（２０，２１）は、それぞれモータ側端部領域にねじ無し部を有しており、
このねじ無し部の長さは、ローラ・ドライバー（２８，２９）の長さに対応しており、
また、ローラドライバー（２８，２９）は、前記ねじ軸（２０，２１）のねじ端部に弾性押圧されていること、
を特徴とする請求項１〜１０のいずれか１つに記載の駆動装置。
【請求項１２】
前記駆動ディスクの円形部（１４）は、半径（Ｒ）を有しており、
この寸法は、作動していないローラ・ドライバー（２８，２９）が、円形部（１４）の外側エッジの上を転がり又はスライドし、その外側エッジにより保持されるようになっていること、
を特徴とする請求項１〜１１のいずれか１つに記載の駆動装置。
【請求項１３】
前記駆動軸（１０）と可動接点との間に変速機構が設けられていることを特徴とする請求項１〜１２のいずれか１つに記載の駆動装置。
【発明の詳細な説明】
【０００１】
【発明の属する技術分野】
本発明は、第１の固定接点に係合している第１スイッチ位置から、中間位置を経て、第２の固定接点に係合する第２スイッチ位置へ、またその逆に動かす、ディスコネクタ／アース・スィッチの可動接点の駆動装置に関するものである。
【０００２】
【従来の技術】
例えば、冒頭に記載の駆動装置により駆動されるディスコネクタ／アース・スィッチは、回動し、２つの固定接点に係合するディスコネクチィング・ブレードを有しており、このディスコネクチィング・ブレードは第１の固定接点とでディスコネクタ・スィッチを形成し、また第２の固定接点とでアース・スィッチを形成している。そして、第１位置でディスコネクタ・スィッチはスィッチ・オンし、アース・スィッチはスィッチ・オフし、第２位置でディスコネクタ・スィッチはスィッチ・オフし、アース・スィッチはスィッチ・オンしている。
【０００３】
そして、ディスコネクチィング・ブレードは、また中間位置をとり、この位置で、“ディスコネクタ・スィッチはオフし、アース・スィッチもオフしている”。
【０００４】
ディスコネクタ／アース・スィッチの場合には、直線的に可動な接点を有しており、関係は同様である。可動接点は、第１及び第２の固定接点と係合し、さらなる位置では、第１及び第２の固定接点とも係合しない。この位置は、ディスコネクト位置と呼ばれており、特に、可動接点が２つの固定接点と係合する、２つの位置の間に位置している。
【０００５】
駆動システム又は装置には、この目的のために、これら３つの位置に動けることが必要であり、電気的に１〜１０秒の程度の高い精度で、また手動では、所望の時間内に操作できることが必要である。
【０００６】
加えて、駆動装置は、可動接点の位置が、スイッチ操作中に生ずる力に影響されないようにセルフ・ロックできねばならない。
【０００７】
公知の装置の場合、駆動軸は、典型的には、電気モータにより、効率的に減速できる、例えば平歯車機構を介して、３つの位置に動かされる。この場合、リフティングマグネットにより制御されるストップ及び／又は機械的な機構により、モータのオーバラン又は不正確な手動操作が補償されるようになっている。
【０００８】
手動によっても、正確に中央位置に動かされるようにするためには、今日の駆動機構では構成においても費用においても相当な出費となる。
【０００９】
【発明が解決しようとする課題】
本発明の目的は、冒頭に記載の駆動装置で、電気的にも手動によっても容易に操作でき、且つ手動の場合にも３つの位置に正確に動かされる駆動装置を提供することである。
【００１０】
【課題を解決するための手段】
この目的は、本発明の次の構成により達成される。
【００１１】
本発明の駆動装置では、接点駆動軸（１０）であって、その回転動きが可動接点の動きに変換されるものが、２つの切り欠き部（１２，１３）を備えた駆動ディスク（１１）に接続され、直線的に移動可能な２つの駆動部材（２８，２９；３０，３１）が設けられ、各駆動部材が前記各切り欠き部（１２，１３）にそれぞれ係合して、前記駆動ディスク（１１）を、中央位置から１つの回転方向へ第１位置まで回動させ、またこの回転方向と逆の方向に第２位置まで回動させ、かくして、中間位置（例えば、ディスコネクタ・スイッチがオフになり、アース・スイッチがオフになる）が前記中央位置で達成され、前記第１スイッチ位置（例えば、ディスコネクタ・スイッチがオンになり、アース・スイッチがオフになる）が前記第１位置で達成され、前記第２スイッチ位置（例えば、ディスコネクタ・スイッチがオフになり、アース・スイッチがオンになる）が前記第２位置で達成されるようになっている。
【００１２】
本発明では、駆動ディスクは直線動きをする駆動部材に係合している。そして、１つの直線駆動部材は駆動ディスクを１つの方向に動かし、他の駆動部材は他の方向に動かすようになっている。こうして、可動接点は１方向又は他の方向に動かされる。
【００１３】
若し、駆動ディスクが、ディスコネクチィング・ブレードである可動接点を動かす駆動軸に接続されていると、駆動軸の回転は、直接にあるいは減速機構を介してディスコネクチィング・ブレードに伝達される。
【００１４】
この場合、切り欠き部は、相互にＶ形を形成する半径方向のスロットであり、駆動部材は相互に平行して直線動きができるようになっている。
【００１５】
２つのスロットが相互になす角度は、ディスコネクチィング・ブレードによりカバーされる角度に対応している。好ましい例では、第１及び第２の接点は、ディスコネクチィング・ブレードの中心軸に対して、相互に９０°離れており、２つのスロットがなす角度は９０°になっている。
【００１６】
本発明の好ましい例では、スロット間の領域は半径方向の突起となっており、第１及び第２位置でのストップに当接するようになっている。
【００１７】
もし、直線動きをする接点が、可動接点を有している場合には、駆動軸は可動接点に係合する歯車機構を備えている。この歯車機構は、好ましくはラックであり、可動接点は、駆動軸の回転動きにより直線動きをする。こうして、可動接点は、２つの固定接点間の、駆動軸が係合するガイドに案内され、可動接点はガイドから右又は左に動かされる。
【００１８】
もし、ディスコネクタ／アース・スィッチ装置が、ＳＦ6 ガス絶縁された金属ケース内に収容され、また、直線動きスイッチである場合には、駆動軸は金属ケース外に設けられ、また、可動接点に接続されたロッド状の中間絶縁体に係合する。ここでも、ラック機構が設けられている。
【００１９】
この場合、可動接点は、第１位置で第１固定接点に接続され、また、その中を可動接点が直線的にガイドされるガイドは、更に継続してコンダクタに導電電気的に接続されている。
【００２０】
ガイドと第２固定接点との間に存する間隔は、絶縁体として設計された、駆動軸によりブリッジされており、従ってここではら絶縁が保たれている。もし、可動接点がアース位置に動かされると、ガイドにより第２固定接点に向き引っ張られる。
【００２１】
なお、他の適用の可能性が予測される。例えば、例えば、相互に９０°の角度で配置された、２つの駆動部材はねじ軸上を動かされる。この場合、駆動ディスクは２つのねじ軸の間に位置されている。
【００２２】
本発明並びに好ましい改良、改善が、本発明の実施の形態の一例を示す図面を参照して詳細に説明される。
【００２３】
【発明の実施の形態】
ここでは、発明は、特に、回動できるディスコネクタ・スイッチ・ブレードを有するディスコネクタ・スィッチについて説明する。
【００２４】
ここで、ディスコネクタ・スイッチ・ブレードについては、特に説明しないが、例えば、ＡＢＢカラー・エマーグ（Calor Emag）スイッチ装置会社の ELK 04 型高圧スイッチ装置に用いられている。そして、このブレードは、それ自身が、駆動ディスク１１に固定された駆動軸１０に接続されている。また、駆動ディスク１１は、円形状をなしており、相互に９０°の角度をなして、Ｖ形になっている２つのスロット１２，１３を有している。
【００２５】
ディスク１１は、Ｖ形の外側に円形部１４を有すると共に、このＶ形内に半径方向の突起１５を有している。そして、スロット１２，１３はＶ形に広がっている。そして、２つの開口エッジ１６及び１７は、相互に直角をなしている。開口エッジ１７は、突起１５に設けられている。
【００２６】
突起１５は、エッジ１７に平行し、スロット１３内に開口するにするエッジ１８を有している。エッジ１９はエッジ１６と同じ線上にある。そして、スロット１３内に開口し、エッジ１８と共にＶ形をなしている。エッジ１８及び１９は、エッジ１６及び１７の場合と同様に、相互に直角をなしている。
【００２７】
駆動ディスク１１には、相互に平行する、２つのロッド２０，２１が設けられている。これらロッドはねじ軸であり、それぞれ１つのモータ２２，２３に減速駆動部２４，２５を介して接続されている。第１の横部材２６が、ねじ軸２０，２１の領域に設けられ、この領域は駆動部２４，２５に隣接している。２つの自由端は横部材２７により接続されている。
【００２８】
ねじ軸２０，２１並びに横部材２６，２７は、相互に直角をなしており、駆動軸１０は、２つの対角線のほぼ中心に位置している。ローラ・ドライバ２８，２９は、ねじ軸２０，２１上を動くトラベリング・ナットであり、これらローラ・ドライバ２８，２９の上に、ボルト３０及び３１が設けられている。これらボルトの外径は、それぞれスロット１２及び１３の内法に対応している。
【００２９】
円形部１４即ち円形エツジ１４の半径Ｒは、ローラ・ドライバ２８，２９が、駆動部（図１参照）から離れた限界位置で、図２及び３に示すように、エツジ１４上をスライドできる寸法とされている。２つの軸２０，２１の間隔は、両ドライバ２８，２９が、モータから離れたこの限界位置で、エツジ１７，１８に当接する寸法となっている。従って、駆動ディスク１１は、これら２つのボルト３０，３１によりこの中間位置に、固定される。
【００３０】
若し、モータ２２が駆動され、軸２０が回転し、ローラ・ドライバ２８が矢印Ｐ方向、即ちモータ２２に向かって下降すると、ボルトはスロット１２の領域及びエッジ１６の領域に入り、駆動ディスク１１を、図２に示すように、回動させる。こうして、エッジ１６が軸２０の中心線に対し直角になっている、図１に示す、初期位置から、図３に示す位置即ち軸２０の中心線に平行する限界位置まで回動させる。
【００３１】
従って、ローラ・ドライバ２８はボルト３０と共に、駆動ディスク１１がこれ以上回動できない、エッジ１６の位置まで、動かされる。図３に示される位置では、突起１５は、エッジ１７がストップ３２に当接し、駆動ディスク１１は、図３に示す限界位置に止どまる。
【００３２】
もし、駆動ディスク１１を，反対方向に回動させようとするときは、初めにローラ・ドライバ２８を矢印Ｐとは反対の上方向に動かされ、ボルト３０は再びスロット１２に係合する。そして、もし、モータ２３が既に運転されて、円形エッジ１４のためにローラ・ドライバ２９が動かされないと、図１に示す当初の位置に再びなる。即ち、２つのローラ・ドライバ２８及び２９が同じ高さ、即ち電気モータ２３，２４から同じ距離にあると、電気モータ２３が駆動され、ローラ・ドライバ２９は、軸２１により矢印Ｐ方向に動かされる。
【００３３】
ボルト３１がスロット１３に係合すると、駆動ディスク１１は、エッジ１８が、ストップ３２に対応する、ストップ３３に当接するまで、反時計方向に回動される。また、ボルト３１は、軸２１の軸に平行する位置にあるエッジ１９に当接する。エッジ１４はボルト・ドライバ２８を、ローラ・ドライバ２９の場合と同様に、上方位置に保持する。
【００３４】
この場合、ボルト３０及び３１は、ローラ・ドライバ２８及び２９の中で回転できるように取り付けられ、従って、これらは、それぞれの場合に一つのローラを構成し、エッジ１４，１６，１７，１８及び１９並びにスロット１２及び１３に沿って、少ない摩擦で、容易に転動する。
【００３５】
電気モータ２２及び２３の代りに、軸２０及び２１は、手動で駆動することもできる。
【００３６】
また、横部材２６及び／又は２７の領域で、ローラ・ドライバ２８、２９の長さに対応する、ねじ無し部を形成してもよい。
【００３７】
ローラ・ドライバ２８、２９には、いずれの場合にも、ローラ・ドライバ２８、２９がねじ軸２０，２１のねじに係合するように、これらを上方に、即ち電気モータから離れる方向に作用させるバネが設けられなければならない。
【００３８】
もし必要ならば、２つのストップ３２及び３３は省いてもよい。
【００３９】
図１に示す位置は、ディスコネクタ・スイッチ・ブレードに関連して選ばれている。この位置では、コンタクト・ブレードは第１接点とも、第２接点とも係合していない。この位置では、“アース・スィッチ・オフーディスコネクタ・スィッチ・オフ”である。
【００４０】
図３に示す位置は、第１位置であり、ここでは、ブレードは第１接点と係合している。この位置は、第１接点がアースに接続されている場合は、“アース・スイッチ・オンーディスコネクタ・スイッチ・オフ”の位置である。
【００４１】
駆動ディスク１１の位置は、図３に示す位置から１８０°回動されている。即ち、エッジ１６又は１９が反対側に位置しているときは、軸２１の近くで、これに平行している。これは、“ディスコネクタ・スィッチ・オン”のスイッチ位置で、ディスコネクタ・ブレードは第２接点に係合している。
【００４２】
なお、モータ２２，２３によっては、駆動部２４，２５を省くこともできる。これは、必要とされるトルク及び回転速度による。
【００４３】
手動装置の場合（ここでは、図示せず）、滑りカップリングを設けることもできる。滑りカップリングは、突起１５がストップ３２又は３３に当接したときに応答する。モータ２２，２３をオフにする適宜なスイッチを設けてもよい。これらスイッチは、横部材２６，２７の領域に配置され、横部材２６，２７に達する前、またはフリー・ホイールが応答する前に、ローラ・ドライバ２８，２９により駆動される。スィッチ・オフの作用は、中央位置の領域に配置された、適宜のスイッチよってもなされる。
【００４４】
この発明での構成は、ロータリ・ディスコネクタ／アース・スィッチを参照してなされている。勿論、この発明は、可動接点が直線的に動くスイッチにも適用できる。この目的のために、駆動軸には、例えば可動接点上のラック機構に係合する長手方向歯システムが設けられる。
【００４５】
上記のすべての構成、即ち、回動するディスコネクチィング・ブレードでも、直線動きをする接点の場合においても、増速歯車機構を、駆動軸と可動接点との間に、挿入してもよい。例えば、駆動軸１０が、直線動きをする接点を動かすクランク・レバーを駆動する。
【００４６】
本発明は、ディスコネクチィング・ブレードを備えたスイッチについて説明されているが、これに限られるものではない。駆動ディスク１１のスロット１２，１３は、適当な切り込みによっても形成される。例えば、特に、ねじ軸２０，２１が平行でなく、相互に直角になっている場合。
【図面の簡単な説明】
【図１】本発明の駆動装置が中間位置にある場合の説明図。
【図２】図１に示す駆動装置が中間位置の片側にある状態の説明図。
【図３】図１に示す駆動装置が中間位置の片側にある状態の説明図。
【符号の説明】
１０…駆動軸，１１…駆動ディスク，１２，１３…（切り欠き部）スロット、１５…絶縁ノズル、２０，２１…ねじ軸、２２，２３…モータ、２６，２７…横部材、２８，２９；３０，３１…駆動部材。
【図１】
0003902273.tif 000002
【図２】
0003902273.tif 000003
【図３】
0003902273.tif 000004